(57)【要約】【課題】住宅用造作物において、ユーザーに合せて手掛け部の高さ位置を簡易に変更可能にすること。【解決手段】ユーザーの成長に合せてノブ２１の高さ位置を変更可能にするステップアップ住宅用開閉戸２０であって、開閉戸２０の全高Ａの中央からずらした位置にノブ２１を設け、開閉戸２０の一端からノブ２１までの高さを低位側高さＬとし、開閉戸２０の他端からノブ２１までの高さを高位側高さＨとするとともに、開閉戸２０を上下反転して設置可能とするもの。【選択図】　図２
2004003129.tif 000002
【特許請求の範囲】
【請求項１】
ユーザーの成長に合せて手掛け部の高さ位置を変更可能にするステップアップ住宅用造作物であって、
造作物の全高の中央からずらした位置に手掛け部を設け、造作物の一端から手掛け部までの高さを低位側高さとし、造作物の他端から手掛け部までの高さを高位側高さとするとともに、
造作物を上下反転して設置可能とするステップアップ住宅用造作物。
【請求項２】
前記造作物を開閉戸とし、前記手掛け部をノブとする請求項１に記載のステップアップ住宅用造作物。
【請求項３】
前記開閉戸を納める戸枠の前記低位側高さと前記高位側高さのそれぞれに対応する２位置に予めラッチ受金具用の取付孔を設けておく請求項２に記載のステップアップ住宅用造作物。
【請求項４】
前記開閉戸を蝶番により前記戸枠に取付けるものであり、開閉戸の表裏で対称をなし、かつ上下で対称をなす位置に予め蝶番取付部を設けておく請求項３に記載のステップアップ住宅用造作物。
【請求項５】
前記造作物を手摺付き家具とし、前記手掛け部を手摺とする請求項１に記載のステップアップ住宅用造作物。
【請求項６】
ユーザーに合せて手掛け部の高さ位置を変更可能にする住宅用造作物であって、
前記造作物を腰壁の見切り縁とし、前記手掛け部を見切り縁の長手方向に沿って付けられた手摺とし、見切り縁の幅高さの中央からずらした位置に手摺を設けるとともに、見切り縁を上下反転して設置可能とする住宅用造作物。
【発明の詳細な説明】
【０００１】
【発明の属する技術分野】
本発明は住宅用造作物に関する。
【０００２】
【従来の技術】
特開平７−３１７４５３号公報にあるような住宅に設置されている開閉戸のノブの床面からの一般的高さは、成人に合せた例えば１０００ｍｍに設定されている。この高さのノブは、幼児には手が届かないし、小さい子供や老人には少し高すぎて使いにくい。
【０００３】
他方、ノブの高さを子供にも使い易い低位側に設定した開閉戸を設置した住宅では、子供の成長時にノブの高さを高位側に設定した新規の開閉戸に交換する必要がある。
【０００４】
【発明が解決しようとする課題】
ユーザーの成長に合せて、開閉戸のノブの高さを変更可能にするステップアップ住宅では、開閉戸を作り替える必要があり、専門の職人が必要になって高コストになる。
【０００５】
本発明の課題は、住宅用造作物において、ユーザーに合せて手掛け部の高さ位置を簡易に変更可能にすることにある。
【０００６】
【課題を解決するための手段】
請求項１の発明は、ユーザーの成長に合せて手掛け部の高さ位置を変更可能にするステップアップ住宅用造作物であって、造作物の全高の中央からずらした位置に手掛け部を設け、造作物の一端から手掛け部までの高さを低位側高さとし、造作物の他端から手掛け部までの高さを高位側高さとするとともに、造作物を上下反転して設置可能とするようにしたもの。
【０００７】
請求項２の発明は、請求項１の発明において更に、前記造作物を開閉戸とし、前記手掛け部をノブとするようにしたものである。
【０００８】
請求項３の発明は、請求項２の発明において更に、前記開閉戸を納める戸枠の前記低位側高さと前記高位側高さのそれぞれに対応する２位置に予めラッチ受金具用の取付孔を設けておくようにしたものである。
【０００９】
請求項４の発明は、請求項３の発明において更に、前記開閉戸を蝶番により前記戸枠に取付けるものであり、開閉戸の表裏で対称をなし、かつ上下で対称をなす位置に予め蝶番取付部を設けておくようにしたものである。
【００１０】
請求項５の発明は、請求項１の発明において更に、前記造作物を手摺付き家具とし、前記手掛け部を手摺とするようにしたものである。
【００１１】
請求項６の発明は、ユーザーに合せて手掛け部の高さ位置を変更可能にする住宅用造作物であって、前記造作物を腰壁の見切り縁とし、前記手掛け部を見切り縁の長手方向に沿って付けられた手摺とし、見切り縁の幅高さの中央からずらした位置に手摺を設けるとともに、見切り縁を上下反転して設置可能とするようにしたもの。
【００１２】
【作用】
請求項１の発明によれば下記（１）、（２）の作用がある。
（１）造作物を上下反転することにより、手掛け部の高さ位置を低位側と高位側のいずれかに設定替えできる。従って、ユーザーのライフスタイル、ライフプランに応じて、ユーザーの日曜大工でいつでも簡易に、手掛け部の高さ位置を変更、更には再変更できる。
【００１３】
（２）手掛け部の高さを低位側に設定した場合には、幼児にも手が届くようにできるし、小さい子供や老人に使い易い。手掛け部の高さを高位側に設定した場合には、成人にとって使い易いし、小さい子供が頭をぶつける危険を回避できる。
【００１４】
請求項２の発明によれば下記（３）の作用がある。
（３）開閉戸に設けたノブの高さ位置を上述（１）、（２）の如くに簡易に変更できる。書斎等の子供に入らせたくない部屋の開閉戸のノブは高位側に設定することもできる。
【００１５】
請求項３の発明によれば下記（４）の作用がある。
（４）開閉戸を納める戸枠の低位側高さＬと高位側高さＨのそれぞれに対応する２位置に予めラッチ受金具用の取付孔を設けておくことにより、ノブの高さ位置の変更に応じて、ドライバー１つでノブのラッチに対応するラッチ受金具を新規高さ位置の取付孔に直ちに簡易に付け替えできる。
【００１６】
請求項４の発明によれば下記（５）の作用がある。
（５）開閉戸の表裏で対称をなし、かつ上下で対称をなす位置に予め蝶番取付部を設けておくことにより、開閉戸の上下反転に応じて、ドライバー１つで開閉戸の蝶番を表裏いずれかの新規取付部に直ちに簡易に付け替えできる。
【００１７】
請求項５の発明によれば下記（６）の作用がある。
（６）家具に設けた手摺の高さ位置を上述（１）、（２）の如くに簡易に変更できる。
【００１８】
請求項６の発明によれば下記の（７）、（８）の作用がある。
（７）見切り縁の幅高さの中央からずらした位置に手摺を設けているので、見切り縁を上下反転することにより、手摺の高さ位置を低位側と高位側のいずれかに設定替えできる。従って、高齢や疾病等により身体に障害のあるユーザーが入居の場合、ユーザの背の高さや身体状況に応じて、手摺の高さ位置を容易に変更できる。
【００１９】
（８）　ペットと同居の場合、見切り縁をはずして腰壁６１のクロスだけ張り替えすれば、メンテナンスコストを低く抑えることができる。
【００２０】
【発明の実施の形態】
図１はステップアップ住宅の開閉戸と家具を示す斜視図、図２は開閉戸を示し、（Ａ）は正面図、（Ｂ）はノブの高さを低位側に設定した状態を示す正面図、（Ｃ）はノブの高さを高位側に設定した状態を示す正面図、図３は開閉戸の錠を示し、（Ａ）は正面図、（Ｂ）は平面図、（Ｃ）は端面図、図４は戸枠を示し、（Ａ）は正面図、（Ｂ）は（Ａ）のＢ−Ｂ線に沿う矢視図、図５は家具を示し、（Ａ）は手摺の高さを低位側に設定した状態を示す正面図、（Ｂ）は手摺の高さを高位側に設定した状態を示す正面図である。
【００２１】
ステップアップ住宅１０は、図１に示す如く、ユーザーの成長に合せて、開閉戸２０（造作物）のノブ２１（手掛け部）の高さ位置と、家具４０（造作物）の手摺４１（手掛け部）の高さ位置を、それぞれ低位側と高位側のいずれかに変更可能とする。
【００２２】
（開閉戸２０）（図２〜図４）
開閉戸２０は戸枠３０に納められる開き戸であり、図２に示す如く、開閉戸２０の一方の側縁の上下方向複数位置に取付けた蝶番３１を、戸枠３０の吊り元側の縦枠にビス止めされる。
【００２３】
開閉戸２０はノブ２１を備える錠２２を、図３に示す如く、開閉戸２０の他方の側縁に設けた埋込孔２３にボルト２４で固定される。錠２２は、ノブ２１にボルト２５で連結されるラッチ２６を備える。戸枠３０の錠側の縦枠には、図４に示す如く、ラッチ受金具３２のための取付孔３３が設けられる。
【００２４】
開閉戸２０は、図２（Ａ）に示す如く、全高Ａ、例えば２０００ｍｍの中央からずらした位置にノブ２１を設ける。開閉戸２０の一端からノブ２１までの高さを例えば９００ｍｍの低位側高さＬとし、開閉戸２０の他端からノブ２１までの高さを例えば１１００ｍｍの高位側高さＨとする。
【００２５】
開閉戸２０は、戸枠３０に上下反転して設置可能とされ、ノブ２１の高さを低位側と高位側のいずれかに設定替えされる。このとき、開閉戸２０は、表裏も反転される。開閉戸２０の表面と裏面は、表裏、上下反転しても利用できるデザインを施されている。
【００２６】
開閉戸２０は、前述の如く、蝶番３１により戸枠３０にビス止めされるものであり、開閉戸２０の一方の側縁側で、表裏対称をなし、かつ上下対称をなす表側３位置と裏側３位置のそれぞれに予め蝶番取付部２７を切欠形成してある。ノブ２１の高さを低位側に設定したとき、開閉戸２０の表側の蝶番取付部２７に蝶番３１をビス止めし、ノブ２１の高さを高位側に設定したとき、開閉戸２０の裏側の蝶番取付部２７に蝶番３１をビス止めする。
【００２７】
開閉戸２０の錠２２のための埋込孔２３も、表裏対称をなし、かつ上下対称をなすように切欠形成されている。ノブ２１の高さを低位側と高位側のいずれかに設定替えしたとき、錠２２は埋込孔２３から取外され、表裏、上下反転されて再び埋込孔２３にボルト固定される。
【００２８】
戸枠３０は、図４に示す如く、低位側に設定されたノブ２１と高位側に設定されたノブ２１のそれぞれに対応する上下２位置に、予めラッチ受金具３２のための取付孔３３Ａと取付孔３３Ｂを切欠形成してある。取付孔３３Ａと取付孔３３Ｂの一方にはラッチ受金具３２がビス止めされ、他方にはカバー３４がビス止めされる（図４（Ｂ））。
【００２９】
従って、開閉戸２０のノブ２１の高さ位置は以下の手順で変更できる。
（１）開閉戸２０の表側（又は裏側）の蝶番取付部２７から蝶番３１のビス止めを外し、開閉戸２０を戸枠３０から外す。
【００３０】
（２）開閉戸２０を表裏、上下反転する。
（３）ノブ２１を備える錠２２を開閉戸２０の埋込孔２３から一旦外し、錠２２を表裏、上下反転して再び埋込孔２３にボルト固定する。
【００３１】
（４）戸枠３０の取付孔３３Ａと取付孔３３Ｂのそれぞれにビス止めされているラッチ受金具３２とカバー３４を互いに付け替える。
【００３２】
（５）開閉戸２０を戸枠３０に納め、戸枠３０の蝶番３１に、開閉戸２０の裏側（又は表側）の蝶番取付部２７をビス止めする。
【００３３】
上述（１）〜（５）は、ユーザー自身がドライバー１本等の簡易な工具を用いるだけで直ちに実施できる。
【００３４】
（家具４０）（図５）
家具４０は、図５に示す如く、全高Ａ、例えば２０００ｍｍの中央からずらした位置に手摺４１を設ける。家具４０は、手摺４１の一方側と他方側の収納部４０Ａ、４０Ｂを手摺取付部４２により仕切り、手摺４１の一方側を短尺収納部４０Ａ、他方側を長尺収納部４０Ｂとする。
【００３５】
家具４０は、一端から手摺４１までの高さを例えば９００ｍｍの低位側高さＬとし、他端から手摺４１までの高さを例えば１１００ｍｍの高位側高さＨとする。
【００３６】
家具４０は、上下反転して床面上に設置可能とされ、手摺４１の高さを低位側と高位側のいずれかに設定替えされる。家具４０は、上下反転しても利用できるデザインを施されている。
【００３７】
家具４０の手摺４１の高さ位置は、開閉戸２０のノブ２１の高さ位置と同一高さに設定されて使用される。
【００３８】
本実施形態によれば以下の作用がある。
（１）開閉戸２０を上下反転することにより、ノブ２１の高さ位置を低位側と高位側のいずれかに設定替えできる。従って、ユーザーのライフスタイル、ライフプランに応じて、ユーザーの日曜大工でいつでも簡易に、ノブ２１の高さ位置を変更、更には再変更できる。
【００３９】
（２）家具４０を上下反転することにより、手摺４１の高さ位置を低位側と高位側のいずれかに設定替えできる。従って、ユーザーのライフスタイル、ライフプランに応じて、ユーザーの日曜大工でいつでも簡易に、手摺４１の高さ位置を変更、更には再変更できる。
【００４０】
（３）ノブ２１と手摺４１の高さを低位側に設定した場合には、幼児にも手が届くようにできるし、小さい子供や老人に使い易い。ノブ２１と手摺４１の高さを高位側に設定した場合には、成人にとって使い易いし、小さい子供が頭をぶつける危険を回避できる。書斎等の子供に入らせたくない部屋の開閉戸２０のノブ２１は高位側に設定することもできる。
【００４１】
（４）開閉戸２０を納める戸枠３０の低位側高さＬと高位側高さＨのそれぞれに対応する２位置に予めラッチ受金具３２用の取付孔３３を設けておくことにより、ノブ２１の高さ位置の変更に応じて、ドライバー１つでノブ２１のラッチ２６に対応するラッチ受金具３２を新規高さ位置の取付孔３３に直ちに簡易に付け替えできる。
【００４２】
（５）開閉戸２０の表裏で対称をなし、かつ上下で対称をなす位置に予め蝶番取付部２７を設けておくことにより、開閉戸２０の上下反転に応じて、ドライバー１つで開閉戸２０の蝶番３１を表裏いずれかの新規取付部２７に直ちに簡易に付け替えできる。
【００４３】
図６は、請求項６に係る本発明の一実施の形態であって、腰壁に付ける見切り縁を間仕切り壁と共に示し、（Ａ）は斜視図、（Ｂ）は断面図、（Ｃ）は（Ａ）の見切り縁を反転させて付けた断面図である。
【００４４】
本実施の形態の見切り縁５０（住宅用造作物）は、図６に示すように、見切り６３を納める細長い部材である。前記見切り６３とは、腰壁６１と上部壁６２とが取り合う部分である。
腰壁６１と上部壁６２は、間仕切り壁の下地６０の下端部と上端部のそれぞれに柄の異なるクロス等の壁仕上げ材で仕上げられている。
【００４５】
見切り縁５０は、長尺の見切り縁本体５０Ａと、見切り縁本体５０Ａの長手方向に沿って一体に付けられた手摺５０Ｂ（手掛け部）とからなる。
上記見切り縁５０は、ユーザーに合せて手摺５０Ｂの高さ位置を低位側と高位側のいずれかに変更可能にするものである。このため、見切り縁５０の幅高さの中央からずらした位置に手摺５０Ｂを設けるとともに、見切り縁５０を上下反転して設置可能としている。
【００４６】
具体的には、見切り縁本体５０Ａは、断面長方形になされ、一方の短辺側が腰壁６１の見切り６３にビス５１により取り付けられ、他方の短辺側には断面略Ｔ字形の手摺５０Ｂが一体に設けられる。これによって見切り縁５０の幅高さの中央からずらした位置に手摺５０Ｂを設けるようにしている。そして、手摺５０Ｂと壁面との間に隙間が形成されるようになされている。
図６（Ａ），（Ｂ）は、手摺５０Ｂを正Ｔ字形に向けて手摺５０Ｂの高さ位置を高位側としたものであり、図６（Ｃ）は、見切り縁５０を上下反転し手摺５０Ｂを逆Ｔ字形に向けて設置し、手摺５０Ｂの高さ位置を低位側としたものである。
【００４７】
本実施形態によれば以下の作用がある。
（１）見切り縁５０の幅高さの中央からずらした位置に手摺５０Ｂを設けているので、見切り縁５０を上下反転することにより、手摺５０Ｂの高さ位置を低位側と高位側のいずれかに設定替えできる。従って、高齢や疾病等により身体に障害のあるユーザーが入居の場合、ユーザの背の高さや身体状況に応じて、手摺５０Ｂの高さ位置を容易に変更できる。
【００４８】
（２）　ペットと同居の場合、見切り縁５０をはずして腰壁６１のクロスだけ張り替えすれば、メンテナンスコストを低く抑えることができる。
【００４９】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は、開閉戸を開き戸とするものに限らず、引き戸とするものにも適用できる。
【００５０】
また、本発明は、開閉戸や家具に近接して設けられる壁パネル（造作物）に設けた手摺（手掛け部）の高さ位置を変更可能にする等にも採用できる。
【００５１】
【発明の効果】
以上のように本発明によれば、住宅用造作物において、ユーザーに合せて手掛け部の高さ位置を簡易に変更可能にすることができる。
【図面の簡単な説明】
【図１】図１はステップアップ住宅の開閉戸と家具を示す斜視図である。
【図２】図２は開閉戸を示し、（Ａ）は正面図、（Ｂ）はノブの高さを低位側に設定した状態を示す正面図、（Ｃ）はノブの高さを高位側に設定した状態を示す正面図である。
【図３】図３は開閉戸の錠を示し、（Ａ）は正面図、（Ｂ）は平面図、（Ｃ）は端面図である。
【図４】図４は戸枠を示し、（Ａ）は正面図、（Ｂ）は（Ａ）のＢ−Ｂ線に沿う矢視図である。
【図５】図５は家具を示し、（Ａ）は手摺の高さを低位側に設定した状態を示す正面図、（Ｂ）は手摺の高さを高位側に設定した状態を示す正面図である。
【図６】図６は腰壁に付ける見切り縁を間仕切り壁と共に示し、（Ａ）は斜視図、（Ｂ）は断面図、（Ｃ）は（Ａ）の見切り縁を反転させて付けた断面図である。
【符号の説明】
１０　ステップアップ住宅
２０　開閉戸（造作物）
２１　ノブ（手掛け部）
２７　蝶番取付部
３０　戸枠
３１　蝶番
３２　ラッチ受金具
３３　取付孔
４０　家具（造作物）
４１　手摺（手掛け部）
５０　見切り縁（造作物）
５０Ｂ　手摺（手掛け部）
６１　腰壁
【図１】
2004003129.tif 000003
【図２】
2004003129.tif 000004
【図３】
2004003129.tif 000005
【図４】
2004003129.tif 000006
【図５】
2004003129.tif 000007
【図６】
2004003129.tif 000008